(57)【要約】  例示的なセキュリティ機器は、タグおよびスレッドを含む。タグは、セキュリティ要素、受容凹部、受容凹部に隣接する係止チャネル、およびタグのスレッド対向面に向かって付勢されたスラグを含んでもよい。スレッドは、そこから延びるタブを有するベース、スレッドを製品に適用するためのベースの製品対向面に適用された接着剤、およびベースのタグ対向面に開口部を有するベースの空洞を含んでもよい。【選択図】図１
2020529659.tif 000002
【特許請求の範囲】
【請求項１】
セキュリティ機器であって、
第１のセキュリティ要素、スレッド対向面、スレッド対向面に向かって付勢されたスラグ、および係合機構を含むタグ、ならびに
スレッド係合機構、製品対向面、タグ対向面、およびタグ対向面に開口部を含む空洞を含むベース、および
製品にスレッドを適用するための製品対向面に適用された接着剤、
を含むスレッドを含み、
ここで係合機構およびスレッド係合機構は、タグがスレッドの軸の周りを係止位置まで動作可能に回転するときに、タグとスレッドを一緒に固定するために協働し、そして
ここで係合機構およびスレッド係合機構が係止位置にあるとき、スラグは開口部を通って動作可能に延びる、セキュリティ機器。
【請求項２】
係合機構およびスレッド係合機構は、チャネルおよびタブ係合、雄および雌ねじ係合、フックおよびループ係合、または差込型係合のうちの少なくとも１つを含む、請求項１に記載のセキュリティ機器。
【請求項３】
係合機構は、少なくとも１つの受容凹部および少なくとも１つの係止チャネルを含む、請求項１に記載のセキュリティ機器。
【請求項４】
スレッド係合機構は、ベースから延びる少なくとも１つのタブを含む、請求項３に記載のセキュリティ機器。
【請求項５】
少なくとも１つの受容凹部は、少なくとも１つのタブを受け入れるように構成されており、そしてここで少なくとも１つのタブを受け入れると、少なくとも１つのタブが少なくとも１つの受容凹部から少なくとも１つの係止チャネルに移動するように、タグが軸の周りで回転可能である、請求項４に記載のセキュリティ機器。
【請求項６】
係止位置では、少なくとも１つのタブと少なくとも１つの係止チャネルとの間の係合により、タグがスレッドに対して軸方向に移動することが防止され、そしてスラグと空洞との間の係合により、タグがスレッドに対して回転することが防止される、請求項５に記載のセキュリティ機器。
【請求項７】
少なくとも１つのタブは傾斜端部を含み、そしてここで少なくとも１つの係止チャネルは、少なくとも１つのタブの傾斜端部と係合するように構成された相補的な傾斜端部を含む、請求項４に記載のセキュリティ機器。
【請求項８】
第１のセキュリティ要素は、警報ユニットによる検出のために、無線周波数信号で電磁界に応答するように構成されている、請求項１に記載のセキュリティ機器。
【請求項９】
第１のセキュリティ要素とは異なる周波数で動作する第２のセキュリティ要素をさらに含む、請求項１または８に記載のセキュリティ機器。
【請求項１０】
第２のセキュリティ要素はＲＦＩＤタグである、請求項９に記載のセキュリティ機器。
【請求項１１】
タグによって製品に係止されるように構成されたセキュリティカラーをさらに含む、請求項１に記載のセキュリティ機器。
【請求項１２】
セキュリティカラーは、スレッドを受け入れるサイズの開口部を形成する係止リング、係止リングから上向きに延びてタグを動作可能に囲む第１の耐ダンパ壁、および係止リングから下向きに延びる第２の耐ダンパ壁を含む、請求項１１に記載のセキュリティ機器。
【請求項１３】
セキュリティカラーは、タグ、スレッド、および製品に対して自由に回転することができ、そしてここで該回転は、セキュリティカラーがセキュリティ機器を不適切に取り外すためのてこ作用として使用されるのを防止する、請求項１２に記載のセキュリティ機器。
【請求項１４】
セキュリティカラーは、セキュリティカラーの内部下部空洞にフィンをさらに含み、ここでフィンは、第２の耐タンパ壁が製品に押し付けられてセキュリティ機器を不適切に取り外すのを防止する、請求項１３に記載のセキュリティ機器。
【請求項１５】
セキュリティ機器であって、
第１のセキュリティ要素、スレッド対向面、スレッド対向面に向かって付勢されたスラグ、および係合機構を含むタグ、ならびに
スレッド係合機構、製品対向面、タグ対向面、およびタグ対向面に開口部を含む空洞を含むベース、および
製品にスレッドを適用するための製品対向面に適用された接着剤
を含むスレッド、ならびに
スレッドを受け入れるサイズの開口部を形成する係止リング、係止リングから上方に延びてタグを動作可能に囲む第１の耐タンパ壁、および係止リングから下方に延びる第２の耐タンパ壁を含むセキュリティカラーを含み、
ここでタグがスレッドの軸の周りを係止位置まで動作可能に回転するときに、係合機構およびスレッド係合機構はタグとスレッドを一緒に固定するために協働し、そして
ここで係合機構およびスレッド係合機構が係止位置にあるとき、スラグは開口部を通って動作可能に延びる、セキュリティ機器。
【請求項１６】
係合機構は、少なくとも１つの係止チャネルと少なくとも１つの凹部を含み、そしてここでスレッド係合機構は、凹部に受け入れられるサイズの少なくとも１つのタブを含む、請求項１５に記載のセキュリティ機器。
【請求項１７】
スレッド係合機構は、少なくとも１つの係止チャネルおよび少なくとも１つの凹部を含み、そしてここで係合機構は、凹部に受け入れられるサイズの少なくとも１つのタブを含む、請求項１５に記載のセキュリティ機器。
【請求項１８】
セキュリティ機器であって、
第１のセキュリティ要素、スレッド対向面、スレッド対向面に向かって付勢されたスラグ、および少なくとも１つの係止チャネルを含むタグ、ならびに
製品対向面、タグ対向面、タグ対向面に開口部を含む空洞、およびタグがスレッドの軸の周りに係止位置まで動作可能に回転するときに少なくとも１つの係止チャネルによって動作可能に受け入れられる少なくとも１つのタブを含むベース
を含むスレッドを含み、そして
ここで係合機構およびスレッド係合機構が係止位置にあるとき、スラグは開口部を通って動作可能に延びる、セキュリティ機器。
【請求項１９】
スラグの移動を可能にし、そしてタグの係止位置から係止解除位置への回転を可能にするように動作可能に構成された取り外しキーをさらに含む、請求項１８に記載のセキュリティ機器。
【発明の詳細な説明】
【技術分野】
【０００１】
関連出願への相互参照
本出願は、参照により本明細書に組み込まれる、２０１７年７月２８日に出願された表題「係止スレッドセキュリティ機器」の米国仮特許出願第６２／５３７，９９５号の利益を主張するものである。
【０００２】
例示的な実施形態は、一般にセキュリティ技術に関し、より詳細には、小売業の損失防止に使用するセキュリティ機器に関する。
【背景技術】
【０００３】
製品セキュリティ機器は、小売業の損失防止など、多くの場面で一般的に使用されている。これに関し、しばしば電子物品監視（ＥＡＳ）システムと呼ばれる小売盗難防止システムは、小売店の出口にあるアンテナを使用して、販売製品などの物品に取り付けられたセキュリティ機器から放出される無線周波数（ＲＦ）信号を検出する。製品セキュリティ機器は、製品に取り付けられたり係止されたりすることがあり得、販売取引中に機器が販売場所で取り外されない場合、セキュリティ機器は、製品に取り付けられた機器が店舗を出るときにＥＡＳシステムによって検出される。小売店による機器の取り外しは盗難未遂に関連している可能性が高いため、アラームの引き金となることがあり得る。
【０００４】
小売店用のセキュリティ機器の一例は、開口部を有するボトルまたはその他の容器のセキュリティタグである。これらのボトルの一部には、ワインやリカーなどの高価な製品が含まれ、これらは一部の場所では、カウンターの後ろではなく棚に保管されているため、万引きの影響を受けやすくなっている。機器を再利用して小売店のコストを削減でき、そしてかなりの量の保管および展示スペースを占有することなく、機器が展示のためにボトルの首に簡単かつ迅速に配置でき、ＥＡＳタグを含むボトルの首にセキュリティ機器を簡単に取り付けて、これらのボトルを保護することが望まれている。またこれらの機器は、小売店が展示製品で使用するために多数の機器を購入できるように、比較的安価に大量生産できる必要がある。
【０００５】
これらの機器の多くは、本来の目的には十分に機能するが、それらの多くは、組み立てなければならない別個の部品の数のために、製造するのに比較的高価である。またこれらの機器の多くは、特定の種類のラッチまたはロック機構、およびセキュリティ機器の係止を解除して保護対象の物品から取り外すための機械作動キーにより、商品への取り付けおよび取り外しが比較的困難である。さらに、一部のセキュリティ機器は不正変更されやすいことがあり得る。
【０００６】
したがって、より効率的なまたは改善されたセキュリティ機器についての必要性がある。また、ボトルネックなどの円筒形の物体用の改善されたセキュリティ機器についての必要性がある。さらに、遮蔽ハウジング内にＥＡＳタグを備え、効率的でありながら安全な係止解除機構を備えたセキュリティ機器を有することが望ましいことがあり得る。
【発明の概要】
【０００７】
以下に、いくつかの態様の基本的な理解を提供するために、本開示の概要を提示する。この概要は、主要または重要な要素を特定することも、実施形態または特許請求の範囲の制限を規定することも意図していない。さらに、この概要は、本開示の他の部分でより詳細に説明され得るいくつかの態様の簡略化された概観を提供し得る。
【０００８】
例示的な係止スレッドセキュリティ機器は、タグとスレッドを含む。タグは、第１のセキュリティ要素（例えばＥＡＳ部品）、受容凹部、および受容凹部に隣接した係合部材（例えば、係止チャネル、ねじ部、摩擦嵌合部など）、およびタグのスレッド対向面に向かって付勢されたスラグを含んでもよい。スレッドは、（例えば、１つ以上のタブ、ねじ部、摩擦嵌合部など）タグの係合部材と係合する１つ以上のスレッド係合部材を有するベース、スレッドを製品に取り付けるためのベースの製品対向面に適用された接着剤、およびベースのタグ対向面に開口部を有するベースの空洞を有してもよい。係合部材またはタグおよびスレッドの係合部材は、チャネルおよびタブ係合、雄および雌ねじ係合、フックおよびループ係合、または差込型係合の少なくとも１つを備えてもよい。少なくとも１つの実施形態では、タグは、スレッドのタブをタグの受容凹部に受容するように構成され得る。タブは、スレッドのベースから伸びていてもよい。スレッドのタブを受容凹部に受け入れると、タグはスレッドに対して軸を中心に回転可能となり、それによりタブは受容凹部から係止チャネルに移動し、スラグの突起がスレッドの空洞と位置合わせしそして係合する係止位置に移動する。係止位置では、タグは、タブと係止チャネルとの係合により、スレッドに対して軸方向に移動することを抵抗または防止することができ、そしてタグは、スラグの突起とスレッドの空洞との間の係合により、スレッドに対して回転することを防止することができる。
【０００９】
第１のセキュリティ要素は、警報ユニットによる検出のために無線周波数信号で電磁界に応答するように構成されてもよい。一実施形態では、セキュリティ機器は、第２のセキュリティ要素を備えてもよい。第２のセキュリティ要素は、第１のセキュリティ要素とは異なる周波数で動作してもよい。例えば、第２のセキュリティ要素はＲＦＩＤタグであり得る。
【００１０】
いくつかの例示的な実施形態によれば、タブは、係止チャネルの相補的な傾斜端部に係合するように構成された傾斜端部を含んでもよい。いくつかの例示的な実施形態によれば、例示的なセキュリティ機器は、第１のセキュリティ要素とは異なる周波数で動作する第２のセキュリティ要素を備えてもよい。他の例示的な装置も提供される。
【００１１】
一実施形態では、セキュリティ機器は、タグによって製品に係止されるように構成されたセキュリティカラーをさらに備えてもよい。セキュリティカラーは、スレッドを受け入れるサイズの開口部を形成する係止リング、係止リングから上方に延びてタグを動作可能に囲む第１の耐タンパ壁、および係止リングから下方に延びる第２の耐タンパ壁を備えてもよい。セキュリティカラーがセキュリティ機器を不適切に取り外すためのてこ作用として使用されるのを防ぐために、セキュリティカラーはタグ、スレッド、および製品に対して自由に回転し得る。セキュリティカラーは、セキュリティカラーの内部下部空洞にフィンをさらに備えて、第２の耐タンパ壁が製品に押し付けられてセキュリティ機器を不適切に取り外すのを防ぐことができる。
【００１２】
一実施形態では、セキュリティ機器は、スラグの移動を可能にし、係止位置から係止解除位置へのタグの回転を可能にするように動作可能に構成された取り外しキーをさらに備える。
【００１３】
以下の説明および図面は、さまざまな例示的な態様を開示している。いくつかの改善点と新規態様は明確に特定され得ることがあるが、その他は記載と図面から明らかになり得る。
【００１４】
添付の図面は、全体を通して同様の参照文字が同様の部分を示す様々なシステム、装置、機器、および方法を示している。
【図面の簡単な説明】
【００１５】
【図１】図１は、例示的な実施形態による、製品に取り付けられた例示的な係止スレッドセキュリティ機器を示す。
【００１６】
【図２】図２は、例示的な実施形態による例示的な係止スレッドセキュリティ機器のタグ構成要素を示す。
【００１７】
【図３】図３は、例示的な実施形態による、カバーが取り外されたタグ構成要素の別の図を示す。
【００１８】
【図４】図４は、例示的な実施形態による例示的な係止スレッドセキュリティ機器のタグ構成要素およびスレッド構成要素を示す。
【００１９】
【図５】図５は、例示的な実施形態によるスレッド構成要素を示す。
【００２０】
【図６】図６は、例示的な実施形態による、タグ構成要素がスレッド構成要素に係止された例示的な係止スレッドセキュリティ機器の断面図を示す。
【００２１】
【図７】図７は、例示的な実施形態による、取り外しキーと係合した例示的な係止スレッドセキュリティ機器の断面図を示す。
【００２２】
【図８】図８は、例示的な実施形態による代替のスレッド係合インターフェースを備えた別の例示的なタグを示す。
【００２３】
【図９】図９は、例示的な実施形態による代替の例示的なスレッドを示す。
【００２４】
【図１０】図１０は、例示的な実施形態による例示的なスレッドおよびセキュリティカラーを示す。
【００２５】
【図１１】図１１は、例示的な実施形態による例示的なセキュリティカラーの断面図を示す。
【００２６】
【図１２】図１２は、例示的な実施形態によるセキュリティカラーの実装を示す。
【００２７】
本発明は、その精神または本質的な特徴から逸脱することなく、いくつかの形態で実施することができる。本発明の範囲は、それらに先行する特定の記載ではなく、添付の特許請求の範囲で規定される。したがって、特許請求の範囲と同等の意味および範囲内にあるすべての実施形態は、特許請求の範囲に含まれることが意図されている。
【発明を実施するための形態】
【００２８】
以下、いくつかの例示的な実施形態を、すべてではないがいくつかの例示的な実施形態が示されている添付の図面を参照して、より十分に説明する。実際、本明細書で説明および図示された例は、本開示の範囲、適用可能性、または構成に関して限定するものと解釈されるべきではない。むしろ、これらの例示的な実施形態は、この開示が適用される法的要件を満たすように提供される。全体を通して同様の参照番号は同様の要素を示す。他の実施形態を利用することができ、本発明のそれぞれの範囲から逸脱することなく構造的および機能的な変更を行うことができることを理解されたい。さらに、本発明の範囲から逸脱することなく、様々な実施形態の特徴を組み合わせたり変更したりすることができる。したがって、以下の説明は、例示のみを目的として提示されており、例示された実施形態に対して行われ、本発明の精神および範囲内にあり得る様々な代替および修正を決して限定するものではない。
【００２９】
本明細書で使用される場合、「例」および「例示的」という言葉は、例または実例を意味する。「例」または「例示的」という言葉は、主要または好ましい態様または実施形態を示すものではない。「または」という言葉は、文脈からそうでないことが示唆されない限り、排他的ではなく包括的であることが意図されている。例として、「ＡはＢまたはＣを使用する」という語句には、包括的な置換が含まれる（たとえば、ＡはＢを使用する、ＡはＣを使用する、またはＡはＢとＣの両方を使用する）。別の事柄として、冠詞「ａ」および「ａｎ」は、文脈からそうでないことが示唆されない限り、一般に「１つ以上」を意味することが意図されている。
【００３０】
用語「タグ」、「チップ」、「ＥＡＳ構成要素」などは、文脈がそうでないことを示唆するか、そのような用語間の特定の区別を保証しない限り、交換可能に使用され得る。タグは、周波数に基づいて選択できることにさらに留意されたい。識別タグは、印刷可能なＲＦ回路、マイクロチップなどを備えてもよい。タグは、メモリ（たとえば、読み取り専用メモリ（ＲＯＭ）、ランダムアクセスメモリ（ＲＡＭ）、電気的に消去可能なプログララマブル読み取り専用メモリ（ＥＥＰＲＯＭ）、またはその他のさまざまな種類のメモリ）に格納された情報を含むことができる。別の態様では、タグは、リーダによって生成された磁場からの電磁誘導によって給電されてもよい。例えば、識別タグは、空芯変圧器を効果的に形成するために、リーダ内にある別のアンテナ間の誘導を利用するアンテナを含むことができる。アンテナは、銅などのさまざまな材料を含んでもよい。空芯変圧器について記載しているが、他のさまざまなアンテナ構成を利用してもよい。
【００３１】
一例では、ＥＡＳシステムは、タグ、リーダまたはエミッタ（店舗の出口など）、および１つ以上のアンテナを含み得る。例えば、タグはループアンテナを含んでもよく、エミッタは別のループアンテナを含んでもよい。ループアンテナは、互いに実質的に同様であってもそうでなくてもよいことに留意されたい。タグアンテナおよびエミッタアンテナは、電磁界を介して動作可能に結合されてもよい。結合は、空芯コイルまたは変圧器を形成または表してもよい。エミッタは、エミッタアンテナによって受信され得る交流電流を生成し得る。電流は、空気または別のキャリア媒体を介して電磁場を誘導することがあり得る。電磁場は、タグアンテナに電流を誘導し得る。受信した電流は、タグのさまざまな構成要素に電力を供給し得る。
【００３２】
様々な実施形態において、タグは、アンテナ、プロセッサ、およびメモリデバイスを含み得る。メモリデバイスは、電気的に消去可能なプログララマブル読み出し専用メモリ（ＥＥＰＲＯＭ）などのさまざまな種類のメモリを含むことができる。タグに電力が供給されると（たとえば、電磁界によって誘導される電流）、タグは、エミッタにより受け取られ得る応答を生成し得る。本明細書で説明されるように、識別タグは、問合せ電波からエネルギーを収集する受動トランスポンダであってもよく、および／または電池などの局所電源を含んでもよい。したがって、識別タグおよびリーダは、パッシブリーダアクティブタグ（ＰＲＡＴ）システム、アクティブリーダパッシブタグ（ＡＲＰＴ）システム、アクティブリーダアクティブタグ（ＡＲＡＴ）システムなどとして構成されてもよい。
【００３３】
別の態様では、タグはさまざまな構成要素またはデバイスに電力を供給してもよい。例えば、タグは、容器のデジタルディスプレイおよび／またはインターフェースに電力を供給してもよい。実施形態において、識別タグは、閾値距離内にあるときにリーダと動作および／またはリーダと通信するように構成されてもよい。例えば、識別タグは、識別タグがリーダからｊ単位以下である場合にリーダと通信でき、ここでｊは数字で、単位は距離の単位である。一例では、識別タグは、リーダから約ｔセンチメートル未満または約ｔセンチメートルのとき、リーダから約１メートル未満または約１メートルのときなどに動作することができる。特定の設定のため距離を選択できることに留意されたい。
【００３４】
様々な例示的な実施形態によれば、製品に取り付けられるアタッチメントスレッドを介して製品にしっかりと付けるタグを含む、例示的な係止スレッドセキュリティ機器が提供される。タグは、セキュリティ機器が付けられている物品が盗まれているか、場所から不適切に持ち去られていることを示すための、例えば小売店の出口にある電子商品監視（ＥＡＳ）システムのアンテナで検出できる無線信号送信デバイスを含むことができる。タグは、製品を購入するための取引中に小売店の販売点で所定の取り外しキー（例えば、磁気キー）を使用してスレッドから取り外しが可能であり得る。
【００３５】
より具体的には、いくつかの例示的な実施形態によれば、例示的なセキュリティ機器は、タグおよびスレッド構成要素を含むことができる。スレッドは、接着剤を介して、ボトルのキャップなどの保護対象の製品に取り付けることができる。次に、製品にセキュリティをもたらすために、タグをスレッドに取り外し可能に係止することができる。タグをスレッドに係止するために、タグは、スレッドのタブをタグの受容凹部に受け入れるように構成されてもよい。スレッドのタブがタグの受容凹部に受け入れられると、スレッドのタブがタグの受容凹部からタグの係止チャネルに移動するように、タグは使用者によりスレッドに対して回転されることができる。タブが係止チャネルに入ると、スレッドのタブが係止チャネル、より具体的には係止チャネルの下部リップと係合し、それにより、タブを回転させて受容凹部に戻ることなく、タグがスレッドから持ち上がることを防止する。回転を続けて受容凹部から離れるにつれて、タブはチャネル内で係止位置に移動し得る。係止位置では、スレッドに向けて付勢されたタグ内に収容されたスラグの突起が、スレッド内の空洞と位置合わせして係合することができる。付勢により、スラグの突起が空洞に押し込まれることができ、それにより、スレッドに対してタグのさらなる回転運動を防止する。この構成では、取り外しキーを使用しないと、タグをスレッドから、したがって製品から取り外すことはできない。
【００３６】
スレッドからタグを取り外すため、１つ以上の磁石を備えた取り外しキーをタグに適用し得る。タグのスラグは鉄材料（例えば、鋼）で構成され得ることから、スラグは、磁石の磁場により付勢力に抗して、スラグの突起がスレッドの空洞にもはや係合しない位置へと促される。スラグの突起が空洞から取り外された状態では、スレッドのタブがタグの受容凹部と位置合わせするまで、タグはスレッドに対して回転され得る。この位置になったら、タグをスレッドから軸方向に取り外して、そして再利用のため取っておくことができる。スレッドは製品とともに残り、そして購入した製品とともに店を出ることができる。
【００３７】
少なくとも１つの実施形態は、第１のセキュリティ要素と、受容凹部と、受容凹部に隣接する係止チャネルと、付勢部材によってタグのスレッド対向面に向かって付勢されたスラグとを備えるタグ、ならびに、そこから延びるタブを有するベースと、スレッドを製品に適用するためのベースの製品対向面に適用される接着剤と、ベースのタグ対向面に開口部を有するベースの空洞とを備えるスレッドを含むセキュリティ機器を含み得る。タグは、スレッドのタブをタグの受容凹部に受け入れるように構成されている。一態様では、スレッドのタブを受容凹部に受け入れると、タブが受容凹部から係止チャネルに移動し、そしてスラグの突起がスレッドの空洞と位置合わせしそして係合する係止位置に移動するように、タグは、スレッドに対して軸を中心に回転可能である。別の態様では、係止位置において、タブと係止チャネルとの間の係合により、タグはスレッドに対して軸方向に移動することを防止され、そしてスラグの突起とスレッドの空洞との間の係合により、タグはスレッドに対して回転することを防止される。
【００３８】
第１のセキュリティ要素は、警報ユニットによる検出のために、無線周波数信号で電磁界に応答するように構成され得ることに留意されたい。いくつかの例では、タブは、係止チャネルのリップの相補的な傾斜端部と係合するように構成された傾斜端部を含む。さらに、実施形態は、第１のセキュリティ要素とは異なる周波数で動作する第２のセキュリティ要素を備えてもよい。第２のセキュリティ要素はＲＦＩＤタグである。セキュリティ機器は、タグによって製品に係止されるように構成されたセキュリティカラーを含んでもよい。セキュリティカラーは、スレッドを受け入れるサイズの開口部を形成する係止リング、係止リンググから上方に延びる第１の耐タンパ壁、および係止リングから下方に延びる第２の耐タンパ壁を含み得る。セキュリティカラーは、タグ、スレッド、および製品に対する回転が自由であり得、ここでこの回転は、セキュリティカラーがセキュリティ機器を不適切に取り外すためのてこ作用として使用されるのを防止する。別の例では、セキュリティカラーはさらに、セキュリティカラーの内部の下部空洞にフィンを含み、ここでフィンは、第２の耐タンパ壁が製品に押し付けられてセキュリティ機器を不適切に取り外すのを防止する。記載された付勢部材は、ばねであり得る。保護される製品はボトルであり得る。タブの受容凹部および係止チャンバは、タグのスレッド対向面を越えて延び、タブおよびスレッドの係合表面と相互作用することができる。タブの受容凹部および係止チャンバは、タグのスレッド対向面内に凹部を形成し、タブおよびスレッドの係合表面と相互作用する。
【００３９】
本明細書に記載のセキュリティ機器および取り外しキーを含むセキュリティシステムも記載されている。取り外しキーは、磁石および位置決め機構を備えてもよく、ここで位置決め機構はタグ上のキーロケータと相補的であり、そして取り外しのため取り外しキーをタグに適切に配置することを支援する。取り外しキーの磁石は、タグの付勢部材と相互作用して、スラグをタグのスレッド対向面に向かって付勢し、スレッドの空洞からスラグを取り外し、ここで空洞からスラグを取り外すと、タブはその後、スレッドに対して軸の周りに回転可能であり、そのためタブは係止チャネルから受容凹部に移動し、そして係止解除位置に移動し、そしてここでタグは、スレッドから軸方向に取り外されることができる。
【００４０】
タグは、例えば小売店の出口（または入口）に位置するアンテナによって生成される無線周波数（ＲＦ）場（または電磁場）に応答するように構成される１つ以上のセキュリティ要素を含むことができる。セキュリティ要素は、ＲＦ応答信号でＲＦ場に応答し得る。いくつかの例示的な実施形態によれば、セキュリティ要素は、ＲＦ場に応じて特定の周波数の共振信号を出力するように構成されたＲＦ共振器（例えば、およびＬＣ回路）であり得る。警報システムの受信アンテナは、セキュリティ要素によって提供される信号を受信し、警報を発して、たとえば、タグ付きの製品が出口に近づいているために盗難が発生している可能性があることを店員に通知することができる。
【００４１】
上記を考慮し、図１は、例示的な実施形態による、製品５０に取り付けられた例示的な係止スレッドセキュリティ機器１を示す。係止スレッドセキュリティ機器１は、タグ１０およびスレッド２０を備える。スレッド２０は、接着剤を介して製品５０に取り付けられ得る。この例示的な実施形態では、スレッド２０はボトル３のキャップ２に取り付けられ、タグ１０はスレッド２０に係止されている。タグ１０を適用しそしてスレッド２０から取り外すとき、タグ１０は、例えばスレッド２０の中心軸であり得る軸４０の周りでスレッド２０に対して回転することができる。
【００４２】
図２は、いくつかの例示的な実施形態によるタグ１０の上面の外観図を示す。タグ１０は、例えば肩部１１１を有する上部カバー１１を含み得る。肩部１１１は、カバー１１の周辺部１１２の周りに、丸みを帯びた、凸状の、先細の、円錐台形の、または他の形状因子を備えてもよい。ここでおよび本明細書の他の箇所で説明するように、カバー１１は、使用者が取り外しキー（図示せず）を配置してキーの磁石をタグ１０のスラグに位置合わせしてタグ１０をスレッド２０から係止解除するのを支援するキーロケータ１２を含むことができる。キーロケータ１２は、取り外しキーの位置合わせを支援し得る、しるし、物理的構成（例えば、開口、チャネルなど）、または他の構成要素を含み得る。
【００４３】
図３は、タグ１０の内部構成要素の少なくともいくつかを示すために上部カバー１１が取り外されたタグ１０の図を示す。これに関して、タグ１０は、内部構成要素の少なくともいくつかが付けられ得るベース１３を含み得る。いくつかの例示的な実施形態によれば、カバー１１は、ベース１３に恒久的にスナップ結合または接合され得る。他の実施形態では、カバー１１およびベース１３は、一体的に形成され、接着剤で共に接着され、ファスナを介して共に結合され、共にねじ込まれ、または別の方法で一緒に取り付けられ得る。
【００４４】
タグ１０の内部構成要素は、例えば、少なくとも１つのセキュリティ要素（例えば、セキュリティ要素１４ａまたは１４ｂの少なくとも１つ）を含み得る。タグ１０の例示的な実施形態では、２つのセキュリティ要素ｌ４ａおよびｌ４ｂが含まれる。タグ１０に販売の柔軟性を与える異なる周波数で動作する２つの異なるタイプのシステムで応答信号を送信するようにタグが動作し得ることから、タグ１０はデュアルテクノロジータグと呼ばれる場合がある。これに関して、個別に、セキュリティ要素は、無線周波数共振器、音響磁気共振器、またはＲＦＩＤタグのうちの１つであり得る。無線周波数共振器または音響磁気デバイスとして、セキュリティ要素は特定の周波数の電磁場の存在下で共振し、検出可能な共振信号を返し得る。セキュリティ要素からのリターン共振信号の検出に応じて、例えば、物品の盗難の試みを示すことがあり得る、店員により販売のため製品（例えば製品５０）からタグ１０を取り外さずに、個人が小売店を出ようとしていることを示すために、遠隔警報が発せられることができる。
【００４５】
追加的または代替的に、セキュリティ要素のうちの１つ以上は、ＲＦＩＤタグを含むことができる。これに関して、ＲＦＩＤタグは、ＲＦＩＤタグを示す固有コードで問合せ信号に応答するように構成されてもよい。そのため、ＲＦＩＤタグは、盗難抑止機能だけでなく、追跡ハードウェアを適切に備えた環境内のセキュリティ要素の在庫カウントまたは位置の追跡も容易にし得る。
【００４６】
実施形態では、タグ１０の構成要素は、付勢部材１６およびスラグ１５を含むことができる。いくつかの例示的な実施形態によれば、付勢部材１６は、磁石、バネ、または他の付勢部材であって、カバー１１とスラグ１５との間に配置され、スラグをタグ１０のカバー１１から離れてベース１３（およびスレッド対向面）に向けて付勢するものであり得る。スラグ１５は、磁場に引き付けられる鉄金属を含んでもよい。スラグ１５は、突起、凹部などの、付勢部材１６と適合する特徴を含むことができる。一態様では、スラグ１５は、磁石を備えた取り外しキーが適用されないときに、タグ１０のベース１３の開口部を通って延びる突起３０を含むことができる。回転軸４０も図３に示されている。
【００４７】
図４は、例示的な実施形態による例示的な係止スレッドセキュリティ機器１のタグ１０およびスレッド２０を示す。これに関して、タグ１０の底面またはスレッド対向面３２は、図４に見ることができる。見て分かるように、スラグ１５の突起３０は、タグ１０のベース１３の開口部５を通過し得る。スレッド２０と適合し、スレッド２０への係止を容易にするために、タグ１０は、受容凹部１７、係止チャネル３１、下部リップ１８、および停止部１９を含むことができる。スレッド２０は、ベース２１、それぞれの係合面２３を備えたタブ２２、および接着剤２４を含むことができる。接着剤２４は、スレッド２０のベース２１の製品対向面に配置することができ、そして使用者がスレッド２０を製品に適用する準備ができるまで接着剤表面を保護する取り外し可能な層を備えた接着パッドの形態とすることができる。
【００４８】
スレッド２０の４つのそれぞれのタブ２２の１つと適合する、４つの受容凹部１７、４つの係止チャネル３１、４つの下部リップ１８、および４つの停止部１９がタグ１０に含まれていることが図４に見ることができるが、以下では、４つの要素のそれぞれに同じ説明が同様に適用されるとの理解のもと、これらの各要素の１つのみに関する相互作用について説明する。さらに、タグ１０およびスレッド２０は４つの異なる相補的な係合機構を示しているが、任意の数の係合機構が利用できることに留意されたい。さらに、タグ１０およびスレッド２０は、様々なタイプの協働する係合機構を介して共に固定または取り付けられ得ることに留意されたい。そのような係合機構は、チャネルおよび突起、舌および溝係合、フック型突起および対応するラッチ、雄および雌ねじ、差込型係合機構などを含み得る。
【００４９】
実施形態によれば、スレッド２０を製品に適用した後、タグ１０は、タグ１０およびスレッド２０の対応する係合機構ならびにスラグ３０を介してスレッド２０に係合および係止され得る。例示的な実施形態では、タグ１０は、タブ２２が受容凹部１７に入るようにスレッド２０に適用され得る。タブ２２が受容凹部１７内に着座すると、次いで、タブ２２がタグ１０の係止チャネル３１に入るように、使用者はタグ１０を回転させることができる。係止チャネル３１に入ると、係合面２３は、下部リップ１８上に隣接することができ、それにより、タグ１０がスレッド２０から離れる軸方向４０に持ち上げられるのを防止する。いくつかの例示的な実施形態によれば、タブ２２の係合面２３は傾斜が付けられていてもよく、下部リップ１８は係合面２３と係合する相補的な傾斜を有していてもよい。使用者がスレッド２０に対してタグ１０を回転させ続けると、タブ２２は、タブ２２が停止部１９に到達するまで係止チャネル３１内を移動し続ける。タブが停止部１９に到達するか、全般的に停止部に到達すると（たとえば、停止部１９の０から１ｍｍ以内）、タグ１０は係止位置にあり得る。
【００５０】
係止位置では、スラグ１５の突起３０は、図５に示されるように、スレッド２０の空洞２５の開口部と位置合わせすることができ、これは、ベース２１およびスレッド２０のタグ対向面上の空洞２５を示す。位置合わせすると、スラグ１５の突起３０がスレッド２０の空洞２５に入ることができ、それによりタグ１０がスレッド２０に対していずれかの方向にさらに回転するのを防止する。したがって、係止位置では、タブ２２の係合面２３とタグ１０の下部リップ１８との係合により、タグ１０が、例えば軸４０に沿ってスレッドから持ち上げられるのを防ぐことができ、そして、スラグ１５の突起３０とスレッド２０の空洞２５との間の係合により、スレッド２０に対して回転することが防止され得る。ほぼ円筒形として示されているが、突起３０および空洞２５は、ｎ面プリズム（ｎは数である）、多角形、または不規則な形状などの他の形状を含むことができることに留意されたい。
【００５１】
図６は、例示的な実施形態による、タグ１０がスレッド２０の構成要素に係止された係止スレッドセキュリティ機器１の断面図を示す。図６に見ることが出来るように、タブ２２の係合面２３は、係止チャネル３１の下部リップ１８と係合される。さらにタグ１０は、突起３０が空洞２５と合っているスレッド２０との係止位置に回転されているため、スラグ１５の突起３０はスレッド２０の空洞２５内に配置されている。
【００５２】
図７は、例示的な実施形態による、取り外しキー６０と係合した係止スレッドセキュリティ機器１の断面図を示す。取り外しキー６０は、磁石６１を含むことができる。取り外しキー６０は、図２のキーロケータ１２によって示されるように、タグ１０上の所定の位置に配置することができる。取り外しキー６０は、相補的な位置決め機構を有してもよい。所定の位置では、磁石６１とその磁場はスラグ１５と位置合わせし、付勢部材１６の力に抗してスラグ１５を上方に引っ張り、スレッド２０の空洞２５から突起３０を取り外す。スラグ１５の突起３０が空洞２５から取り外された状態で、スレッド２０のタブ２２がタグ１０の受容凹部１７と位置合わせするまで、タグ１０をスレッド２０に対して回転させることができる。この位置になったら、タグ１０をスレッド２０から取り外し（例えば、軸４０に対して軸方向にスレッド２０から持ち上げて）、そして再利用のために取っておくことができる。スレッド２０は、使い捨てであってもよく、製品とともに残り、例えば、購入された製品とともに店を出ることができる。
【００５３】
図８は、いくつかの例示的な実施形態による別の例示的なタグ１１０を示す。これに関して、タグ１１０は、代替のスレッド係合インターフェースを除いて、タグ１０と同一または類似であってもよい。図８に示すように、タグ１１０のベース１１３およびタグ１１０のスレッド対向面１３２は、相補的なスレッド１２０と係合するように構成されたベース１１３の延長部分を含むことができ、このスレッドは、タグ係合インターフェースを除き、スレッド１２０と同様であり得る。
【００５４】
ここで図８および図９を参照すると、例示的な係止スレッドセキュリティ機器１０１のタグ１１０およびスレッド１２０が提供される。これに関して、タグ１１０の底面またはスレッド対向面１３２は、図８に見ることができる。スラグ（スラグ１５と同様）の突起１３０は、タグ１１０のベース１１３の開口部を通過することができる。スレッド１２０とインターフェースし、そしてスレッド１２０への係止を容易にするために、タグ１１０は、受容凹部１１７、係止チャネル１３１、および下部リップを含むことができる。スレッド１２０は、ベース１２１、それぞれの係合面１２３を備えたタブ１２２、空洞１２５、停止部１２６、および接着剤（図示せず）を含むことができる。接着剤は、スレッド１２０のベース１２１の製品対向面に配置することができ、使用者がスレッド１２０を製品に適用する準備ができるまで接着剤表面を保護する取り外し可能な層を備えた接着パッドの形態とすることができる。スレッド２０とは対照的に、スレッド１２０は、ベース１２１の一部である周方向リッジ１２７を含むことができ、そこからタブ１２２が延びる。
【００５５】
スレッド１２０の２つのそれぞれのタブ１２２の１つと相互作用するための、２つの受容凹部１１７、２つの係止チャネル１３１、および２つの下部リップ１１８がタグ１１０に含まれることが図８から見ることができるが、以下では、２つのそれぞれに同じ説明も同様に適用されるとの理解のもと、これらの各要素の１つのみについてこの相互作用を説明する。さらに、タグ１１０およびスレッド１２０は、２つの異なる相補的な係合機構を示すが、任意の数の係合機構が利用され得ることが企図されている。
【００５６】
従って、スレッド１２０を製品に適用した後、タグ１１０はスレッド１２０に係合され係止されることができる。これに関して、タグ１１０は、タブ１２２が受容凹部１１７に入るようにスレッド１２０に適用させることができる。タブ１２２が受容凹部１１７内に着座すると、使用者は、タブ１２２がタグ１１０の係止チャネル１３１に入るようにタグ１１０を回転させることができる。係止チャネル１３１に入ると、係合面１２３は、下部リップ１１８上に隣接することができ、それによりタグ１１０がスレッド１２０から離れる軸方向（回転軸を参照）に持ち上がることを防止する。いくつかの例示的な実施形態によれば、タブ１２２の係合面１２３は傾斜をつけられてもよく、下部リップ１１８は、係合面１２３と係合する相補的な傾斜を有してもよい。使用者がスレッド１２０に対してタグ１１０を回転させ続けると、係止チャネル１３１の端部１３３がスレッド１２０の停止部１２６に到達するまで、タブ１２２は係止チャネル１３１内を移動し続ける。端部１３３が停止部１１９に到達すると、タグ１１０は係止位置にあり得る。
【００５７】
係止位置で、スラグの突起１３０は、図９に示されるように、スレッド１２０の空洞１２５の開口部と位置合わせすることができ、これは、ベース１２１およびスレッド１２０のタグ対向面上の空洞１２５を示している。位置合わせすると、スラグの突起１３０がスレッド１２０の空洞１２５に入ることができ、それによりタグ１１０がスレッド１２０に対していずれかの方向にさらに回転するのを防止する。したがって、係止位置では、タグ１１０は、タブ１２２の係合面１２３とタグ１１０の下部リップ１１８との係合により、例えば回転軸に沿ってスレッド１２０から離れて持ち上がることを防止されることができ、そしてスラグの突起１３０とスレッド１２０の空洞１２５との係合により、スレッド１２０に対して回転するのを防止されることができる。
【００５８】
タブ１２２およびリップ１１８は、追加的または代替的に、チャネル１２２およびタブ１１８と呼ばれる場合があることに留意されたい。一態様では、チャネルがスレッド内またはスレッドにて形成されており、同時にタブがタグ内またはタグにて形成されていることを除き、これは、図１−７に示されるのと同様の係止システムを表し得る。そのような係合機構を説明するために利用される標識化または命名法は、本開示を通して説明を簡単にするために選択される。したがって、異なるまたは他の命名法を使用して、類似または同じ係合インターフェースまたは機構を説明できることに留意されたい。
【００５９】
図１０は、例示的な実施形態による例示的なスレッド１２０およびセキュリティカラー１７０を示す。セキュリティカラー１７０は、タグ１００およびスレッド１２０と併せて使用することができるオプションのアクセサリであり得る。セキュリティカラー１７０は、例えば、その内部に配置された係止リング１７１を有する円筒形または部分的に円錐形のチューブであり得る。図１０に示されるように、係止リング１７１は、セキュリティカラー１７０の内部の周りに延在し得るシェルフであり得る。係止リング１７１は、開口部１７２内にスレッド１２０を受け入れるサイズにされ得る開口部１７２を形成し得る。そのため、スレッド１２０がボトルの上部に（例えば、接着剤を介して）取り付けられる場合、タグ１１０がスレッド１２０に係止される準備にて、セキュリティカラー１７０をボトル上およびスレッド１２０の周りに配置することができ、これによってスレッド１２０およびタグ１１０と所定の位置にセキュリティカラー１７０をまた係止する。これに関して、ベース１１３はスレッド１２０よりも広くてもよく、したがってベース１１３の外側部分は、セキュリティカラー１７０をボトルおよびタグ１１０に係止するために係止リング１７１と係合することができる。
【００６０】
セキュリティカラー１７０は、係止リング１７１から上方に延びて、耐タンパ壁１７３を形成することができる。これに関して、タグ１１０がセキュリティカラー１７０およびスレッド１２０に係止されると、耐タンパ壁１７３は、タグ−スレッドインターフェースへのアクセスを防止して、製品を盗むためタグ１１０またはスレッド１２０の不正変更を回避することができる。さらに、セキュリティカラー１７０は、係止リング１７１から下方に延びて、耐タンパ壁１７４を形成することができる。これに関して、タグ１１０がセキュリティカラー１７０およびスレッド１２０に係止された場合、耐タンパ壁１７４は、ボトルキャップへのアクセスを防止して、キャップの不正変更または取り外しを回避することができる。
【００６１】
上述のように、スレッド１２０が製品に取り付けられ、係止リング１７１がスレッド１２０を取り囲むようにセキュリティカラー１７０がスレッド１２０上に配置された後、タグ１１０はスレッド１２０に係止され得る。タグ１１０は、セキュリティカラー１７０の上部空洞に配置され、スレッド１２０に係止するために回転されることができる。タグ１１０は、ベース１１３と係止リング１７１との間のインターフェースでセキュリティカラー１７０を単に係合する。スレッド１２０の高さおよびベース１１３の延長部分により、製品（例えば、ボトルキャップ）とタグ１１０のベース１１３との間にギャップが形成され得る。セキュリティカラー１７０の係止リング１７１は、係止リングの厚さより長いことがあり得るギャップ内に存在し得る。したがって、セキュリティカラー１７０は製品とタグ１１０との間で係止され得るが、セキュリティカラー１７０はタグ１１０、スレッド１２０、および製品に対して自由に回転し得る。この機構はセキュリティ機構として動作することができる。セキュリティカラー１７０は、スレッド１２０、タグ１１０、および製品に対して自由に回転できるため、セキュリティカラー１７０は、製品からスレッド１２０またはタグ１１０を取り外すため、または例えば、スレッド１２０が取り付けられているボトルのキャップを取り外すためのてこ作用として使用できない。
【００６２】
図１１は、セキュリティカラー１７０の断面図を示している。この図では、セキュリティカラー１７０の内部下部空洞（係止リング１７１の下）にあるフィン１７５を見ることができる。フィン１７５は、セキュリティカラー１７０の内部下部空洞の内周の周りに配置することができる。いくつかの例示的な実施形態によれば、フィン１７５は、規則的に間隔を空けられてもよい。フィン１７５は、内部下部空洞内に延びていてもよい。いくつかの例示的な実施形態によれば、フィン１７５は、製品の表面に係合するように構成されてもよい。これに関して、フィン１７５の存在は、耐タンパ壁１７４がボトルの首の外面に押し付けられてタグ１１０のベース１１３にモーメント／力を生じさせてタグ１１０をボトルキャップからこじ開けることを防止することができる。そのため、フィン１７５は、さらに別のセキュリティ機構として機能し得る。
【００６３】
図１２は、例示的な実施形態によるボトル１５０に取り付けられたセキュリティカラー１７０を示す。タグ１１０、スレッド１２０、およびセキュリティカラー１７０を備えるセキュリティ機器１０１は、店を出ることによる盗難からボトル１５０を保護するだけでなく、ボトルでの店内での不正変更からも保護するために、ボトル１５０に取り付けられ得る。取り付け位置では、図７に関して説明したように、取り外しキーを使用して最初にタグ１１０をスレッド１２０から取り外すことなく、セキュリティカラー１７０を取り外すことはできない。さらに取り付け位置にて、タグ１１０のベース１１３が係止リング１７１上に延びて上方向への移動を防止するため、セキュリティカラー１７０は上方向に取り外すことができない。さらに取り付け位置において、セキュリティカラー１７０は、テーパーが付けられたボトル５０のために下方向に取り外すことができない。いくつかの例示的な実施形態によれば、セキュリティカラー１７０はまた、ボトル１５０と係合するために係止リング１７１から下向きに延びる内部フィンを含んでもよい。
【００６４】
本明細書に記載されたものによる多くの修正および他の実施形態は、前述の説明および関連する図面に提示された教示の利益を有するこれらの実施形態が関係する当業者に思い浮かぶであろう。したがって、実施形態は開示された特定のものに限定されず、修正および他の実施形態は添付の特許請求の範囲内に含まれることが意図されることを理解されたい。さらに、前述の説明および関連する図面は、要素および／または機能の特定の例示的な組み合わせの文脈で例示的な実施形態を説明しているが、要素および／または機能の異なる組み合わせが、添付の特許請求の範囲から逸脱することなく代替実施形態によって提供され得ることを理解されたい。これに関して、例えば、添付の特許請求の範囲の一部に記載されているように、明示的に上述されたものとは異なる要素および／または機能の組み合わせも企図されている。利点、利益、または問題に対する解決策が本明細書に記載されている場合、そのような利点、利益、および／または解決策は、必ずしもすべての例示的な実施形態ではなく、いくつかの例示的な実施形態に適用可能であることを理解されたい。したがって、本明細書で説明される任意の利点、利益、または解決策は、すべての実施形態または本明細書で主張されることにとって重要、必要または必須であると考えるべきではない。ここでは特定の用語が使用されているが、それらは一般的かつ説明的な意味でのみ使用されており、限定の目的で使用されていない。
【００６５】
前述は、本発明の原理のみの例示として考慮される。さらに、多数の修正および変更が当業者には容易に思い当たることから、示されそして説明された正確な構造および動作に本発明を限定することは望まれていない。好ましい実施形態を説明したが、詳細は、特許請求の範囲によって規定される本発明から逸脱することなく変更され得る。
【図１】
2020529659.tif 000003
【図２】
2020529659.tif 000004
【図３】
2020529659.tif 000005
【図４】
2020529659.tif 000006
【図５】
2020529659.tif 000007
【図６】
2020529659.tif 000008
【図７】
2020529659.tif 000009
【図８】
2020529659.tif 000010
【図９】
2020529659.tif 000011
【図１０】
2020529659.tif 000012
【図１１】
2020529659.tif 000013
【図１２】
2020529659.tif 000014
【国際調査報告】
2020529659.tif 000015